【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
流体を分離する方法であって、
第１の流体成分と第２の流体成分とを含む入力流体流を、ゼオライトＩＴＱ−５５を含む吸着剤に暴露するステップであって、除去生成物流体流を形成し、前記除去生成物流体流中の前記第１の流体成分：前記第２の流体成分のモル比が、前記入力流体流中の前記第１の流体成分：前記第２の流体成分のモル比未満である、ステップと；
前記除去生成物流体流を回収するステップと；
吸着生成物流体流を形成するステップであって、前記吸着生成物流中の前記第１の流体成分：前記第２の流体成分のモル比が、前記入力流体流中の前記第１の流体成分：前記第２の流体成分の前記モル比よりも高い、ステップと；
前記吸着生成物流を回収するステップと
を含み、
前記ゼオライトＩＴＱ−５５が、架橋原子によって連結された四面体（Ｔ）原子のフレーム構造を有し、前記四面体原子が、以下の表：
【表１】
2017519629.tif 000001
【表２】
2017519629.tif 000002
に記載される様式で最も近いＴ原子を連結することによって定義される、方法。
【請求項２】
前記ゼオライトＩＴＱ−５５が、焼成状態であって、シラノールの存在によって示される結晶マトリックス中の欠陥がない状態で、実験式：
ｘ（Ｍ１／ｎＸＯ２）：ｙＹＯ２：ｇＧｅＯ２：（１−ｇ）ＳｉＯ２
［式中、
Ｍは、Ｈ＋、電荷＋ｎの少なくとも１種の無機カチオンおよび両方の組合せから選択され、
Ｘは、酸化状態＋３の少なくとも１種の化学元素であり、
Ｙは、Ｓｉとは異なる酸化状態＋４の少なくとも１種の化学元素であり、
ｘは、０〜０．２（０および０．２を含む）の値をとり、
ｙは、０〜０．１（０および０．１を含む）の値をとり、
ｇは、０〜０．５（０および０．５を含む）の値をとる］
を有する、請求項１に記載の方法。
【請求項３】
ｘが本質的にゼロの値をとり、ｙが本質的にゼロの値をとり、かつｇが本質的にゼロの値をとる、請求項２に記載の方法。
【請求項４】
ａ）ｘが０より高い値をとるか、ｂ）ｙが０より高い値をとるか、ｃ）ｇが０より高い値をとるか、またはｄ）それらの組合せである、請求項２に記載の方法。
【請求項５】
吸着生成物流体流を形成するステップが、前記吸着剤の温度または圧力の少なくとも１つを変更するステップを含む、請求項１に記載の方法。
【請求項６】
吸着生成物流体流を形成するステップが、第３の成分を含む流体流を、ゼオライトＩＴＱ−５５を含む前記吸着剤に暴露するステップであって、前記第３の成分の少なくとも一部が、ゼオライトＩＴＱ−５５を含む前記吸着剤によって吸着される、ステップを含む、請求項１に記載の方法。
【請求項７】
前記入力流体流を吸着剤に暴露するステップが、スイング吸着容器中で前記入力流体流を吸着剤に暴露するステップを含む、請求項１に記載の方法。
【請求項８】
前記入力流体流を吸着剤に暴露するステップが、圧力スイング吸着条件、温度スイング吸着条件、急速サイクル圧力スイング吸着条件またはそれらの組合せのもとで前記入力流体流を前記吸着剤に暴露するステップを含む、請求項７に記載の方法。
【請求項９】
前記入力流体流が天然ガスを含む、請求項７に記載の方法。
【請求項１０】
前記入力流体流が、約５ｐｓｉａ（約０．０３ＭＰａ）〜約５０００ｐｓｉａ（約３５ＭＰａ）、任意選択的に少なくとも約２５０ｐｓｉａ（約１．７ＭＰａ）、または少なくとも約５００ｐｓｉａ（約３．４ＭＰａ）、または少なくとも約１０００ｐｓｉａ（約６．９ＭＰａ）の圧力でゼオライトＩＴＱ−５５を含む前記吸着剤に暴露される、請求項９に記載の方法。
【請求項１１】
前記入力流体流が、約−１８℃〜約３９９℃、または約３１６℃以下、または約２６０℃以下の温度で前記吸着剤に暴露される、請求項９に記載の方法。
【請求項１２】
前記第１の流体成分が、Ｎ２、Ｈ２Ｏ、ＣＯ２またはそれらの組合せである、請求項９に記載の方法。
【請求項１３】
前記第１の流体成分が、Ｎ２およびＨ２Ｏの少なくとも一種である、請求項９に記載の方法。
【請求項１４】
前記第１の流体成分がＮ２である、請求項９に記載の方法。
【請求項１５】
前記第２の流体成分が、ＣＨ４、ＣＨ４よりも大きい分子量を有する炭化水素またはそれらの組合せである、請求項９に記載の方法。
【請求項１６】
前記入力流体流が、前記第２の成分からの前記第１の成分の動的分離を実行するために有効な条件で前記吸着剤に暴露される、請求項１に記載の方法。
【請求項１７】
前記入力流体流が、前記第２の成分からの前記第１の成分の平衡分離を実行するために有効な条件で前記吸着剤に暴露される、請求項１に記載の方法。
【請求項１８】
前記吸着剤が、約２０オングストロームよりも大きく、約１ミクロン未満の直径を有する細孔において、約２０％未満の開孔体積を有する、請求項１に記載の方法。
【請求項１９】
前記第２の流体成分が、メタン、エタン、メタノール、ジメチルエーテル、３個以上の重原子を含有する有機化合物またはそれらの組合せである、請求項１に記載の方法。
【請求項２０】
前記第１の流体成分が、ＣＯ、ＣＯ２、Ｈ２、Ｈ２Ｏまたはそれらの組合せである、請求項１９に記載の方法。
【請求項２１】
前記第１の流体成分がＣＯ２であり、前記第２の流体成分がＣＨ４である、請求項２０に記載の方法。
【請求項２２】
前記入力流体流が天然ガスを含む、請求項２１に記載の方法。
【請求項２３】
前記第１の流体成分が、エチレン、アセチレン、ホルムアルデヒドまたはそれらの組合せである、請求項１９に記載の方法。
【請求項２４】
前記第１の流体成分が、Ｈ２Ｓ、ＮＨ３もしくはそれらの組合せである、請求項１９に記載の方法。
【請求項２５】
前記第１の流体成分が、ＳＯ２、Ｎ２Ｏ、ＮＯ、ＮＯ２、硫黄酸化物もしくはそれらの組合せである、請求項１９に記載の方法。
【請求項２６】
前記第１の流体成分がＮ２である、請求項１９に記載の方法。
【請求項２７】
前記入力流体流が約２２３Ｋ〜約５２３Ｋの温度で前記吸着剤に暴露される、請求項２６に記載の方法。
【請求項２８】
前記第１の流体成分が、希ガス、分子ハロゲン、水素化ハロゲンもしくはそれらの組合せである、請求項１９に記載の方法。
【請求項２９】
前記第１の流体成分が、メタン、エチレン、エタン、メタノール、ジメチルエーテルまたはそれらの組合せである、請求項１に記載の方法。
【請求項３０】
前記第２の流体成分が窒素であり、前記第１の流体成分が、水素、希ガス、酸素、窒素酸化物、ＣＯ２、ＣＯ、分子ハロゲン、水素化ハロゲンまたはそれら組合せである、請求項１に記載の方法。
【請求項３１】
前記第１の流体成分がＣＯ２である、請求項３０に記載の方法。
【請求項３２】
前記入力流体流が排ガスを含む、請求項３１に記載の方法。
【請求項３３】
前記第１の流体成分がＯ２である、請求項３０に記載の方法。
【請求項３４】
前記入力流体流が空気を含む、請求項３３に記載の方法。
【請求項３５】
前記分子ハロゲンまたはハロゲン化ハロゲンが、前記ハロゲンとして、Ｆ、Ｃｌ、Ｂｒまたはそれらの組合せを含む、請求項３０に記載の方法。
【請求項３６】
前記第１の流体成分がＣＯ２であり、前記第２の流体成分が１種以上の炭化水素を含む、請求項１に記載の方法。
【請求項３７】
前記１種以上の炭化水素がメタン、エタン、エチレンまたはそれらの組合せである、請求項３６に記載の方法。
【請求項３８】
前記第１の流体成分がエチレンであり、前記第２の流体成分がエタン、メタンまたはそれらの組合せである、請求項１に記載の方法。
【請求項３９】
前記第１の流体成分が窒素酸化物であり、前記第２の流体成分が硫黄酸化物である、請求項１に記載の方法。
【請求項４０】
前記第１の流体成分がＨ２であり、前記第２の流体成分が、窒素酸化物、硫黄酸化物、炭化水素、炭素酸化物またはそれらの組合せである、請求項１に記載の方法。
【請求項４１】
前記第１の流体成分がＨ２であり、前記第２の流体成分が、Ｈ２Ｓ、ＮＨ３またはそれらの組合せである、請求項１に記載の方法。
【請求項４２】
前記第１の流体成分がＨ２Ｏであり、前記第２の流体成分がＨ２である、請求項１に記載の方法。
【請求項４３】
前記第１の流体成分が、Ｈｅ、Ｎｅ、Ａｒ、Ｋｒまたはそれらの組合せであり、前記第２の流体成分が、Ｎ２、Ｈ２Ｏ、ＣＯ、ＣＯ２、炭化水素またはそれらの組合せである、請求項１に記載の方法。
【請求項４４】
前記第１の流体成分が、メタノール、ジメチルエーテルもしくはそれらの組合せである、請求項１に記載の方法。
【請求項４５】
前記第２の流体成分が、メタノール、ジメチルエーテルもしくはそれらの組合せである、請求項１に記載の方法。
【請求項４６】
前記第１の流体成分がアセチレンであり、前記第２の流体成分が、エチレン、メタン、エタンまたはそれらの組合せである、請求項１に記載の方法。
【請求項４７】
流体を分離する方法であって、
第１の流体成分と第２の流体成分とを含む入力流体流を、ゼオライトＩＴＱ−５５を含む吸着剤に暴露するステップであって、除去生成物流体流を形成し、前記除去生成物流体流中の前記第１の流体成分：前記第２の流体成分のモル比が、前記入力流体流中の前記第１の流体成分：前記第２の流体成分のモル比未満である、ステップと；
前記除去生成物流体流を回収するステップと；
吸着生成物流体流を形成するステップであって、前記吸着生成物流中の前記第１の流体成分：前記第２の流体成分のモル比が、前記入力流体流中の前記第１の流体成分：前記第２の流体成分の前記モル比よりも高い、ステップと；
前記吸着生成物流を回収するステップと
を含み、
合成された状態で、前記ゼオライトＩＴＱ−５５が、少なくとも角度の値２θ（度）および相対強度（Ｉ／Ｉ０）：
【表３】
2017519629.tif 000003
［表中、
Ｉ０は、１００の値が割り当てられる最も強いピークからの強度であり、
ｗは、０〜２０％の弱い相対強度であり、
ｍは、２０〜４０％の中間の相対強度であり、
ｆは、４０〜６０％の強い相対強度であり、
ｍｆは、６０〜１００％の非常に強い相対強度である］
を有するＸ線回折パターンを有する、方法。